(57)【要約】【課題】退避方向を発見しやすい位置に表示することができ、かつ、コスト的にも安く製造できる消防用ホースを提供する。【解決手段】消防用ホース１は、布製のジャケット１１の内面に合成樹脂製のライナ１２が形成されたホース部１０の両端に連結具２０（２１，２２）がそれぞれ取り付けられ、消防車両のポンプの吐出口に接続された消防用ホース１であることを前提とし、少なくとも１つの退路表示手段３０を備える。退路表示手段３０は、ホース部１０に沿って移動可能に外嵌されており、吐出口に向かう方向を示す。【選択図】      図１
2018054004.tif 000002
【特許請求の範囲】
【請求項１】
布製のジャケットの内面に合成樹脂製のライナが形成されたホース部の両端に連結具がそれぞれ取り付けられ、消防車両のポンプの吐出口に接続された消防用ホースであって、
前記ホース部に沿って移動可能に外嵌されて前記吐出口に向かう方向を示す少なくとも１つの退路表示手段を備える
ことを特徴とする消防用ホース。
【請求項２】
前記退路表示手段は、前記吐出口に向かう方向を示す矢印を外表面に有している
ことを特徴とする請求項１に記載の消防用ホース。
【請求項３】
前記退路表示手段は、筒形状を成し、前記吐出口に向かう側の端部に少なくとも１つの凸部を有している
ことを特徴とする請求項１に記載の消防用ホース。
【請求項４】
前記退路表示手段は、筒形状を成し、前記吐出口に向かう側の端部に前記筒形状の中心軸に対して２回回転対称となる位置に配置された一対の凸部を有している
ことを特徴とする請求項１に記載の消防用ホース。
【請求項５】
前記凸部は、前記吐出口に向かって尖った角である
ことを特徴とする請求項３又は請求項４に記載の消防用ホース。
【請求項６】
前記退路表示手段は、筒形状を成し、前記筒形状の内周長は、前記ホース部に内圧が掛っていない時の外周長よりも大きく、前記ホース部に内圧が掛っているときの外周長よりも小さい
ことを特徴とする請求項１から請求項５のいずれか１項に記載の消防用ホース。
【請求項７】
前記退路表示手段は、筒形状を成し、前記筒形状の長手方向に沿う全長にわたって取り外し可能に接合されたシーム部を有する
ことを特徴とする請求項１から請求項５のいずれか１項に記載の消防用ホース。
【請求項８】
前記シーム部は、前記筒形状の周方向に重ね合される面ファスナである
ことを特徴とする請求項７に記載の消防用ホース。
【請求項９】
前記退路表示手段は、筒形状を成し、前記吐出口に向かう側の端部に少なくとも１つ配置された第１の凸部と、前記吐出口と反対に向かう側の端部に前記筒形状の中心軸を中心に周方向へ前記第１の凸部に対して位相のずれた位置に少なくとも１つ配置された第２の凸部と、前記第１の凸部を中心とする周方向に一定の幅の第１の着色部と、前記第２の凸部を中心とする周方向に一定の幅の第２の着色部と、を有する
ことを特徴とする請求項１に記載の消防用ホース。
【請求項１０】
前記退路表示手段は、筒形状を成し、前記吐出口に向かう側の端部に、前記筒形状の中心軸に沿う中心面に対して面対称に配置されかつ前記吐出口に向いた角を成す一対の第１の面に沿う第１の縁を有している
ことを特徴とする請求項１に記載の消防用ホース。
【発明の詳細な説明】
【技術分野】
【０００１】
本発明は、建物内に進入して消火活動する場合に建物内から脱出する際の退路を示す消防用ホースに関する。
【背景技術】
【０００２】
ビル火災が発生した場合、建屋の外から放水するだけでなく、建屋内に消防用ホースを引き込んで消防隊員が消火活動を行なう。屋内消火作業中に、急遽屋外へ避難する必要が開生じた場合、引き込んだホースを辿って屋外へ退避するといったように、消防用ホースが消防隊員や避難者の退路を示す手段として利用される。
【０００３】
特許文献１に記載された消防用ホースは、ホース本体の外層を構成するジャケットの外表面に避難方向を示す矢印形状の蓄光性シートを貼り付けられている。蓄光性シートは、ホース本体の長手方向に所望の間隔で複数配置されている。
【０００４】
また、特許文献２に記載された消防用ホースは、消防自動車等のポンプ吐出口に連結されるメス金具側を指し示す形状をしたマーク又は織柄をホース本体の表面に有している。暗闇での視認性を高めるために、発光性塗料として蓄光塗料や蛍光塗料などを使用してマークを形成することが開示されている。
【先行技術文献】
【特許文献】
【０００５】
【特許文献１】実用新案登録第３０９１２９１号公報
【特許文献２】特開２００４-１３２４４３号公報
【発明の概要】
【発明が解決しようとする課題】
【０００６】
しかしながら、これらの消防用ホースにおいて、ホース本体の外面に方向を指し示すマークを設けた場合、消防用ホースを引き回すことによって、ホース本体の外表面が擦れてマークが見えにくくなってしまう。また、消防用ホースは、建物内に引き込まれることで左右へ折れ曲がり、ホース本体が長手方向を横切る方向に転がったり捩れたりすることで、マークがちょうど見えにくい位置に移動してしまうこともある。マークが見つからない場合、消防用ホースを辿って次のマークを探すのに時間を費やし、脱出が遅れてしまう。マークを発見しやすいように、ホース本体の全長にわたって多数のマークを設けると、コストがかかるため、あまり普及していないのが現状である。
【０００７】
そこで、本発明は、退避方向を発見しやすい位置に表示することができ、かつ、コスト的にも安く製造できる消防用ホースを提供する。
【課題を解決するための手段】
【０００８】
本発明に係る一実施形態の消防用ホースは、布製のジャケットの内面に合成樹脂製のライナが形成されたホース部の両端に連結具がそれぞれ取り付けられ、消防車両のポンプの吐出口に接続された消防用ホースであることを前提とし、少なくとも１つの退路表示手段を備える。退路表示手段は、ホース部に沿って移動可能に外嵌されており、吐出口に向かう方向を示す。
【０００９】
この場合、退路表示手段は、吐出口に向かう方向を示す矢印が外表面に描かれている。または、退路表示手段は、筒形状を成し、吐出口に向かう側の端部に少なくとも１つの凸部を有している。または、退路表示手段は、筒形状を成し、吐出口に向かう側の端部に、筒形状の中心軸に対して２回回転対称となる位置に配置された一対の凸部を有している。これらの凸部は、吐出口に向かって尖った角であることが好ましい。
【００１０】
また、退路表示手段は、筒形状を成し、筒形状の内周長は、ホース部に内圧が掛っていない時の外周長よりも大きく、ホース部に内圧が掛っているときの外周長よりも小さいことも好ましい。また、退路表示手段は、筒形状の長手方向に沿う全長にわたって取り外し可能に接合されたシーム部を有している。そして、シーム部は、周方向に重ね合される面ファスナを有している。
【００１１】
また、退路表示手段は、筒形状を成し、第１の凸部と第２の凸部と第１の着色部と第２の着色部とを有していてもよい。第１の凸部は、吐出口に向かう側の端部に少なくとも１つ配置される。第２の凸部は、吐出口と反対に向かう側の端部に、筒形状の中心軸を中心に周方向へ第１の凸部に対して位相のずれた位置に少なくとも１つ配置される。第１の着色部は、第１の凸部を中心とする周方向に一定の幅に設けられる。第２の着色部は、第２の凸部を中心とする周方向に一定の幅に設けられる。
【００１２】
また、退路表示手段は、筒形状を成し、吐出口に向かう側の端部に、筒形状の中心軸に沿う中心面に対して面対称に配置されかつ吐出口に向いた角を成す一対の第１の面に沿う第１の縁を有していてもよい。
【発明の効果】
【００１３】
本発明の一実施形態の消防用ホースによれば、ホース部に外嵌された退路表示手段を有しており、この退路表示手段が消防車両のポンプの吐出口に向かう方向を示す。そしてこの退路表示手段は、ホース部に沿って移動可能に外嵌されているので、建屋内において、廊下が分岐する位置や、複数の消防用ホースが横たわっているような場所に移動させて使用することで、退路を容易に発見しやすくなる。また、１本の消防用ホースの全長にわたって、マークを設けることに比べて、複数の退路表示手段を設けるだけでよいので、コスト的にも安く製造することができ、退路を示す消防用ホースの普及につながる。
【図面の簡単な説明】
【００１４】
【図１】本発明の第１の実施形態の消防用ホースの平面図。
【図２】図１に示した消防用ホースを使用する状況を示す斜視図。
【図３】本発明の第２の実施形態の消防用ホースの平面図。
【図４】本発明の第３の実施形態の消防用ホースの平面図。
【図５】本発明の第４の実施形態の消防用ホースの平面図。
【図６】本発明の第５の実施形態の消防用ホースの退路表示手段の斜視図。
【図７】本発明の第６の実施形態の消防用ホースの退路表示手段の斜視図。
【図８】本発明の第７の実施形態の消防用ホースの退路表示手段の斜視図。
【図９】本発明の第８の実施形態の消防用ホースの退路表示手段の斜視図。
【発明を実施するための形態】
【００１５】
本発明の第１の実施形態の消防用ホース１について、図１及び図２を参照して説明する。図１は、ホース部１０の両端に連結具２０（２１，２２）がそれぞれ取り付けられた消防用ホース１を上から見た平面図を示す。図１では、連結具２０を含む両端部と、１つの退路表示手段３０が装着されたホース部１０の一部分を図示している。また、図２は、建屋内で消火活動が行われる際に建屋の進入経路に沿って本発明の消防用ホース１を配置した状態の一部を示す斜視図である。
【００１６】
図１の消防用ホース１のホース部１０は、布製のジャケット１１の内面に合成樹脂製のライナ１２が形成された構造を有している。図１においてホース部１０の右端には雄型の連結具２１（２０）が取り付けられており、左端には雌型の連結具２２（２０）が取り付けられている。消防用ホース１は、消防車両のポンプの吐出口に雌型の連結具２２を接続するとともに、雄型の連結具２１に次の消防用ホース１の雌型の連結具２２を連結される。所望の長さにするために複数の消防用ホース１を連結し、先端に放水用の管槍（放水ノズル）が取り付けられる。
【００１７】
図１に示す消防用ホース１の連結具２０は、ホース部１０の端部に差し込まれる装着部２０Ａを有している。装着部２０Ａよりも少し長い保護スリーブ１３がホース部１０の端部の外周に装着され、さらにその外側から加締めリング１４で締め付けることによって、連結具２０はホース部１０の端部に固定されている。
【００１８】
消防用ホース１は、ホース部１０の途中に少なくとも１つの退路表示手段３０を有している。この退路表示手段３０は、ホース部１０に沿って移動可能に外嵌された筒形状であって、吐出口に向かう方向、すなわち消防車両が停車された屋外への脱出方向を示す。本実施形態では、雌型の連結具２２が取り付けられている方向、すなわち吐出口に向かう方向を指し示す矢印３１が退路表示手段３０の外表面に記されている。
【００１９】
退路表示手段３０は、保護スリーブ１３と同じような部材、すなわちたて糸とよこ糸で編まれた筒形状の布製品である。したがって、退路表示手段３０は、ホース部１０の端部に連結具２０を固定する前に、ホース部１０に装着される。
【００２０】
矢印３１は、退路表示手段３０の外表面の色に対して目立つ色であれば何色でもよい。本実施形態では、矢印３１は、反射材又は蓄光材が練り込まれた合成樹脂フィルムで造られており、退路表示手段３０の外表面に貼り付けられている。なお、矢印３１は、退路表示手段３０の生地とは別の色の糸で模様として編み込まれたり刺繍されたりしてもよいし、染料で着色することで表示されてもよい。また、どの方向からでも矢印３１が見えるように、複数、好ましくは３〜５個の矢印３１を退路表示手段の周方向に配置する。
【００２１】
以上のように構成された消防用ホース１によれば、ホース部１０に沿って移動可能な退路表示手段３０を有しているので、建屋内の奥まで進入して消火活動を行う場合、図２に示すように、通路Ｃの分岐Ｔや避難経路の扉Ｄの前など、容易に発見される位置に退路表示手段３０を移動させることができる。したがって、この退路表示手段３０が装着されている消防用ホース１は、消防隊員のみならず逃げ遅れた被災者Ｒを迅速に建屋の外へ誘導する目印となる。退路表示手段３０は、１つの消防用ホース１に対して複数個所に設けられていてもよい。退路表示手段３０が複数設けられていることで、必要となる個所に退路表示手段３０を配置しやすい。
【００２２】
また、退路表示手段３０は、ホース部１０に沿って移動可能であるということは、周方向にも回すことができる。つまり、消防用ホース１を配設する際やその後の消火活動においてホース部１０が捩れたり転がったりしても、退路表示手段３０をホース部１０に対して回すことで、脱出方向を確認することができる。また、消防用ホース１に退路を表示するために、ホース部１０の全長にわたってマークを設けなくてもよいので、消防用ホース１の製造コストを安く抑えることができる。特に、退路表示手段３０が保護スリーブ１３と同じ材料で造られている場合、退路表示手段３０を有した消防用ホース１を製造するために新たな設備を必要としない。
【００２３】
なお、退路表示手段３０は、筒形状を成し、その筒形状の内周長が、ホース部１０に内圧が掛っていない時のホース部１０の外周長よりも大きく、ホース部１０に内圧が掛っているときのホース部１０の外周長よりもわずかに小さく造られていることも好ましい。消防用ホース１は、放水によって水を遠くまで飛ばすために、高い内圧が掛かる。ホース部１０は、この内圧によってわずかながら膨張する。そこで上述のように退路表示手段３０が作られていることで、送水前であれば退路表示手段３０を所望の位置に移動設置することができ、放水を開始して内圧が掛れば膨張したホース部１０に対して退路表示手段３０が密着固定されるので、退路表示手段３０が設置された場所からずれ動くことを防止できる。
【００２４】
また、水圧が掛ったときにホース部１０の外面に密着する上述の構造の退路表示手段３０の内面にライナ１２と同様の合成樹脂製の耐水層を設けておくと、ホース部１０が損傷して漏水する部分に退路表示手段３０を配置することで、漏水個所を応急処置することもできる。
【００２５】
また、退路表示手段３０を伸縮性の優れた材料や素材で作ってもよい。例えば、周方向に伸縮性に富んだゴムバンドを筒状に形成したものであってもよい。伸ばした状態で連結具２０を通るように作られていれば、後から追加したり取り外したりできるし、劣化したら交換することも可能である。
【００２６】
以下に、本発明の第２から第８の実施形態の消防用ホースについて説明する。第１の実施形態と同じ機能を有する構成は、各実施形態において同一の符号を付し、その詳細な説明は、第１の実施形態中の対応する記載を参酌することとする。
【００２７】
本発明の第２の実施形態の消防用ホース１は、図３を参照して説明する。図３に示す消防用ホース１において、退路表示手段３０に設けられた矢印３２は、第１の実施形態とは逆向きであり、消防用ホース１の通水方向、すなわち雄型の連結具２１が取り付けられている方向を指し示している。したがって、矢印３２の根本方向が、消防車両の吐出口に向かう方向、すなわち脱出方向を示すこととなる。このように、第２の実施形態の退路表示手段３０は、通水方向を示す矢印３２を有することによって、吐出口に向かう方向を示している。
【００２８】
本発明の第３の実施形態の消防用ホース１は、図４を参照して説明する。図４に示す消防用ホース１において、退路表示手段３０は、吐出口に向かう方向を示すために、矢印３１とともに脱出経路や非常口を示すピクトグラフ３３を有している。したがって、矢印３１が指し示すものが避難方向を示していることがピクトグラフ３３を見ることで、だれもでも容易に理解することができる。
【００２９】
本発明の第４の実施形態の消防用ホース１は、図５を参照して説明する。図５に示す消防用ホース１は、退路表示手段３０の形状が第１から第３の実施形態の退路表示手段３０と異なっている。第４の実施形態の消防用ホース１の退路表示手段３０は、ホース部１０に外嵌する筒形状を成し、吐出口に向かう側の端部に少なくとも１つの凸部３４を有している。
【００３０】
この凸部３４は、図５に示すように、吐出口に向かって尖った角を有し、退路表示手段３０が全体的に矢印を示すような外観になるように形成されている。この退路表示手段３０は、図５において紙面の裏側に位置する部分にも凸部３４を有している。具体的には、筒形状の中心軸に対して２回回転対称となる一対の位置に凸部３４を配置している。
【００３１】
以上のように構成されていることで、ホース部１０が横に引きずられて回っても、退路表示手段３０の外観から吐出口に向かう方向、すなわち建屋から脱出する方向を容易に知ることができる。特に、退路表示手段３０の形状が吐出口に向かう方向を示していることで、視界が悪い状況であっても、ホース部１０に装着された退路表示手段３０を触ることでも脱出方向を判断することができる。
【００３２】
本発明の第５の実施形態の消防用ホース１は、図６を参照して説明する。図６は、消防用ホース１に装着される退路表示手段３０を示す斜視図であって、ホース部１０に取り付けた状態及び取り外した状態をそれぞれ示す。退路表示手段３０は、筒形状の長手方向に沿う全長にわたって取外し可能に接合されたシーム部３５を有している。シーム部３５は、本実施形態の場合、面ファスナ３５Ａを有しており、周方向に重ね合わされて留められる。
【００３３】
したがって、退路表示手段３０は、消防用ホース１のホース部１０の任意の位置に巻きつけられる。必要となる個所に自由に付加的に装着することができるので、既存の消防用ホースに取り付けて、本実施形態の消防用ホース１のようにすることも可能である。
【００３４】
また、図６では第４の実施形態のように退路表示手段３０の端部に凸部３４を有している。第１から第３の実施形態のように、矢印３１，３２やピクトグラフ３３を有していてもよい。
【００３５】
本発明の第６の実施形態の消防用ホース１は、図７を参照して説明する。図７は、消防用ホース１に装着される退路表示手段３０を示す斜視図である。この退路表示手段３０は、シーム部３５にスナップボタン３５Ｂを有している。第５の実施形態の面ファスナ３５Ａと同様に、付け外しが容易であり、既存の消防用ホースにも採用することができる。シーム部３５を止めるために採用されるファスナとして、面ファスナ３５Ａ及びスナップボタン３５Ｂの他に、スライドファスナや足袋の留め具として使用される小鉤（こはぜ）などでもよい。また、結束バンド等で一時的に止めるように作られていてもよい。
【００３６】
本発明の第７の実施形態の消防用ホース１は、図８を参照して説明する。図８は、消防用ホース１に装着される筒形状の退路表示手段３０を示す斜視図であって、ホース部１０に装着された筒形状の状態と、これを平面に展開した状態をそれぞれ示す。この退路表示手段３０は、第１から第４の実施形態のように筒形状に作られていてもよいし、第５及び第６の実施形態のようにシーム部３５を有していてもよい。図８における展開図は、凸部３４の頂部を通る位置で長手方向に切って平面に展開した状態である。
【００３７】
この退路表示手段３０は、筒形状を成し、吐出部に向かう側の端部に、筒形状の中心軸に沿う中心面Ｍに対して面対称に配置されかつ吐出口に向いた角を成す一対の第１の面Ｓ１１，Ｓ１２に沿う第１の縁３６を有している。この第１の縁は、展開した退路表示手段３０からわかるように、緩やかな円弧であり、筒形状を第１の面Ｓ１１，Ｓ１２で切断したときの楕円の半分に相当する。
【００３８】
以上のように構成されていることで、凸部３４の間に作られる谷部３４Ａが円弧であるので、ホース部１０に内圧が掛って退路表示手段３０が周方向に張られても、谷部３４Ａに力が掛って裂けることを予防できる。
【００３９】
本発明の第８の実施形態の消防用ホース１は、図９を参照して説明する。図９は、消防用ホース１に装着される筒形状の退路表示手段３０を示す斜視図であって、ホース部１０に装着された筒形状の状態と、これを平面に展開した状態をそれぞれ示す。この退路表示手段３０は、第１から第４及び第７の実施形態のように筒形状に作られていてもよいし、第５及び第６の実施形態のようにシーム部３５を有していてもよい。図９における展開図は、凸部３４の頂部を通る位置で長手方向に切って平面に展開した状態である。
【００４０】
第８の実施形態の退路表示手段３０は、筒形状を成し、吐出口に向かう側の端部に少なくとも１つ配置された第１の凸部３４と、吐出口と反対側に向かう側の端部に筒形状の中心軸を中心に周方向へ第１の凸部３４に対して位相のずれた位置に、本実施形態では９０度位相がずれた位置に、少なくとも１つ配置される第２の凸部３７を有している。本実施形態では、第１の凸部３４及び第２の凸部３７は、２回回転対称となる位置に一対にそれぞれ配置されている。
【００４１】
それぞれ周方向に第１の凸部３４の間の谷部３４Ａ及び第２の凸部３７の間の谷部３７Ａは、図９のように不連続な隅を形成していてもよいし、第７の実施形態の谷部３４Ａのようになだらかな円弧に形成されていてもよい。
【００４２】
また、本実施形態の退路表示手段３０は、第１の凸部３４を中心とする周方向に一定の幅の第１の着色部Ｑ１と、第２の凸部３７を中心とする周方向に一定の幅の第２の着色部Ｑ２とを有している。本実施形態では、図９の展開図に示すように、第１の凸部３４と第２の凸部３７の間に第１の着色部Ｑ１と第２の着色部Ｑ２の境界部がある。
【００４３】
このように、第１の着色部Ｑ１と第２の着色部Ｑ２の色が異なっていることで、第１の凸部３４と第２の凸部３７を容易に区別することができる。すなわち、第１の凸部３４が吐出口に向かう方向であり、雌型の連結具２２が取り付けられた方向である脱出方向を示し、第２の凸部３７が通水方向、すなわち雄型の連結具２１が取り付けられた方向を示している。
【００４４】
そこで、第１の着色部Ｑ１は、吐出口（水元）に向かう方向すなわち雌型の連結具２２に向かう脱出方向を連想しやすいように、例えば、緑色（青色）に着色し、第２の着色部Ｑ２は、雄型の連結具２１に向かう方向、すなわち消火活動が行われている火元に向かう方向を連想しやすいように、例えば、赤色に着色する。退路表示手段３０は、第１の着色部Ｑ１及び第２の着色部Ｑ２に着色するとともに、第３の実施形態のようなピクトグラフ３３をさらに備えてもよい。このようにすることで、脱出方向と火災方向をそれぞれ第１の凸部３４と第２の凸部３７によって矢印形状のように示すことができるため、視覚的に容易に判断しやすい。
【００４５】
なお、第１の着色部Ｑ１及び第２の着色部Ｑ２は、それぞれ筒状に織られた布製の生地に塗料を含浸させて着色してもよいし、生地を染めて造られてもよい。また、綾目織りの場合には外表面に表れるたて糸にそれぞれの色に着色したたて糸を採用し、筒状に織られていてもよい。
【００４６】
この他、退路表示手段３０は、筒形状の中心軸に沿う方向に中央から雌型の連結具２２に向かう側すなわち第１の凸部３４が設けられた側である脱出方向の側を第１の着色部Ｑ１とし、それと反対側、すなわち雄型の連結具２１に向かう方向すなわち第２の凸部３７が設けられた側である火災方向の側を第２の着色部Ｑ２として色分けしてもよい。また、第１の着色部Ｑ１と第２の着色部Ｑ２の間を分かりやすくするためにこれらと別の色（あるいは素地の色）の境界部を設けてもよい。
【００４７】
以上、第１から第８の実施形態を用いて本発明の消防用ホース１について説明した。これらの実施形態は、本発明を実施するにあたって理解しやすくするための一例に過ぎず、これらの実施形態のみに限定されることを意図していない。したがって、本発明を実施するにあたってその趣旨を逸脱しない範囲で、各構成を同等の機能を有するものに置き換えて実施することも可能であり、それらもまた本発明に含まれる。また、各実施形態で説明した構成のいくつかを互いに組み合わせて、あるいは置き換えて実施することも本発明に含まれる。
【符号の説明】
【００４８】
１…消防用ホース、１０…ホース部、２０…連結具、２１…雄型の連結具、２２…雌型の連結具、３０…退路表示手段、３１…（吐出口に向かう）矢印、３２…（通水方向を示す）矢印、３３…ピクトグラフ、３４…凸部（第１の凸部）、３５…シーム部、３５ａ…面ファスナ、３６…第１の縁、３７…第２の凸部、Ｍ…中心面、Ｓ１１，Ｓ１２…第１の面、Ｑ１…第１の着色部、Ｑ２…第２の着色部。
【図１】
2018054004.tif 000003
【図２】
2018054004.tif 000004
【図３】
2018054004.tif 000005
【図４】
2018054004.tif 000006
【図５】
2018054004.tif 000007
【図６】
2018054004.tif 000008
【図７】
2018054004.tif 000009
【図８】
2018054004.tif 000010
【図９】
2018054004.tif 000011
【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
布製のジャケットの内面に合成樹脂製のライナが形成されたホース部の両端に連結具がそれぞれ取り付けられ、消防車両のポンプの吐出口に接続される消防用ホースであって、
前記ホース部に沿って移動可能に外嵌されて前記吐出口に向かう方向を示す少なくとも１つの退路表示手段を備え、
前記退路表示手段は、筒形状を成し、前記筒形状の内周長は、前記ホース部に内圧が掛っていない時の外周長よりも大きく、前記ホース部に内圧が掛っているときの外周長よりも小さい
ことを特徴とする消防用ホース。
【請求項２】
前記退路表示手段は、前記吐出口に向かう方向を示す矢印を外表面に有している
ことを特徴とする請求項１に記載の消防用ホース。
【請求項３】
前記退路表示手段は、前記吐出口に向かう側の端部に少なくとも１つの凸部を有している
ことを特徴とする請求項１に記載の消防用ホース。
【請求項４】
前記退路表示手段は、前記吐出口に向かう側の端部に前記筒形状の中心軸に対して２回回転対称となる位置に配置された一対の凸部を有している
ことを特徴とする請求項１に記載の消防用ホース。
【請求項５】
前記凸部は、前記吐出口に向かって尖った角である
ことを特徴とする請求項３又は請求項４に記載の消防用ホース。
【請求項６】
前記退路表示手段は、前記筒形状の長手方向に沿う全長にわたって取り外し可能に接合されたシーム部を有する
ことを特徴とする請求項１から請求項５のいずれか１項に記載の消防用ホース。
【請求項７】
前記シーム部は、前記筒形状の周方向に重ね合される面ファスナである
ことを特徴とする請求項６に記載の消防用ホース。
【請求項８】
前記退路表示手段は、前記吐出口に向かう側の端部に少なくとも１つ配置された第１の凸部と、前記吐出口と反対に向かう側の端部に前記筒形状の中心軸を中心に周方向へ前記第１の凸部に対して位相のずれた位置に少なくとも１つ配置された第２の凸部と、前記第１の凸部を中心とする周方向に一定の幅の第１の着色部と、前記第２の凸部を中心とする周方向に一定の幅の第２の着色部と、を有する
ことを特徴とする請求項１に記載の消防用ホース。
【請求項９】
前記退路表示手段は、前記吐出口に向かう側の端部に、前記筒形状の中心軸に沿う中心面に対して面対称に配置されかつ前記吐出口に向いた角を成す一対の面に沿う縁を有している
ことを特徴とする請求項１に記載の消防用ホース。
【請求項１０】
布製のジャケットの内面に合成樹脂製のライナが形成されたホース部の両端に連結具がそれぞれ取り付けられ、消防車両のポンプの吐出口に接続される消防用ホースであって、
前記ホース部に沿って移動可能に外嵌されて前記吐出口に向かう方向を示す少なくとも１つの退路表示手段を備え、
前記退路表示手段は、筒形状を成し、前記吐出口に向かう側の端部に、前記筒形状の中心軸に沿う中心面に対して面対称に配置されかつ前記吐出口に向いた角を成す一対の面にそれぞれ沿う一対の縁を有し、
前記一対の縁のそれぞれの両端部が互いに接続されており、
前記退路表示手段は、前記一対の縁のそれぞれの両端部が接続される一対の位置をそれぞれ頂部とする一対の凸部を有し、
前記一対の縁は、筒形状を前記一対の面でそれぞれ切断したときの楕円の半分に相当する形状であり、
前記退路表示手段を前記ホース部の長手方向に切って平面に展開した状態において、前記一対の縁は、円弧である
ことを特徴とする消防用ホース。